(57)【要約】      （修正有）【課題】ホストコンピュータに複数の記憶装置を装填する度に、ホスト側との接続を容易に且つ確実に行うことができる記憶装置のコネクタ接続ケースを提供する。【解決手段】ケース体Ｈ前方の第１絶縁ブロック１０に立設支持されてホスト側電源コネクタ１４を接続保持する電源用コネクタボード１６と、電源コネクタ１４と導通して電源用コネクタボード１６に接続され第１絶縁ブロック１０に挿通支持され接触部Ｃ１が記憶装置の電源用端子と対向するように収容部５内に突出した複数の電源用コンタクトピン２０と、通信線コネクタ１５と導通するように通信用コネクタボード１８に接続保持され第２絶縁ブロック１２に挿通支持され、接触部Ｃ２が記憶装置２の通信線用端子と対向するように収容部５内に突出した複数の通信線用コンタクトピン２２と、収容部５内に挿入された記憶装置の後方への移動を規制する揺動レバー２４とを備えている。【選択図】図３
0003132136.tif 000002
【実用新案登録請求の範囲】
【請求項１】
インターフェースをもつ記憶装置をホストコンピュータ側のコネクタと接続する記憶装置のコネクタ接続ケースに於いて、
上記コネクタ接続ケース１は、後端側に上記記憶装置２を収容部５内の支持面６上に挿入する開口部４を有すると共に該開口部４に連なる上記支持面６の両側に記憶装置２の幅方向を規制する側壁８ａ，８ｂを形成したケース体Ｈと、該ケース体Ｈの前方に設けた第１絶縁ブロック１０に立設支持されて上記ホスト側電源コネクタ１４を接続保持する電源用コネクタボード１６と、上記電源コネクタ１４の各端子と電気的に導通するように一端が上記電源用コネクタボード１６に接続され上記第１絶縁ブロック１０に挿通支持された他端側の接触部が上記記憶装置２の電源用端子と対向するように上記収容部５内に向けて突出した複数の電源用コンタクトピン２０と、上記ケース体Ｈ前方に設けた第２絶縁ブロック１２に立設支持されて上記ホスト側通信線コネクタ１５を接続保持する通信用コネクタボード１８と、上記通信線コネクタ１５の各端子と電気的に導通するように一端が上記通信用コネクタボード１８に接続保持され上記第２絶縁ブロック１２に挿通支持された他端側の接触部が上記記憶装置２の通信線用端子と対向するように上記収容部５内に向けて突出した複数の通信線用コンタクトピン２２と、上記ケース体Ｈの開口部４後端面に揺動可能に支持されて上記収容部５内に挿入された上記記憶装置２の後方への移動を規制する揺動レバー２４とを備えて成り、
上記ケース体Ｈの収容部５内に記憶装置２が装填された際、上記記憶装置２の電源用端子並びに通信線用端子のそれぞれが、上記電源用コンタクトピン２０並びに通信線用コンタクトピン２２の他端側接触部Ｃ１，Ｃ２に接触し、上記ホスト側の電源コネクタ１４と通信線用コネクタ１５にそれぞれ接続されることを特徴とする記憶装置のコネクタ接続ケース。
【請求項２】
上記電源用コンタクトピン２０と通信線用コンタクトピン２２の他端側接触部Ｃ１，Ｃ２のそれぞれが、拡径フランジで形成されていることを特徴とする請求項１に記載の記憶装置のコネクタ接続ケース。
【請求項３】
上記電源用コンタクトピン２０の他端側接触部Ｃ１において、グランド線側に接続するコンタクトピンの接触部Ｃａは、上記電源供給線用コンタクトピン２０の接触部Ｃｂ、並びに上記通信線用コンタクトピン２２の接触部Ｃ２より上記記憶装置２の電源用端子側に僅かに突出していることを特徴とする請求項１又は２に記載の記憶装置のコネクタ接続ケース。
【考案の詳細な説明】
【技術分野】
【０００１】
本考案は、記憶装置のコネクタ接続ケースに係り、詳しくは、インターフェースをもつハードディスク、ＣＤ、ＤＶＤ、ＢＬ（ブルーレイ）などの記憶装置をホストコンピュータ側のコネクタと接続する記憶装置のコネクタ接続ケースに関するものである。
【背景技術】
【０００２】
従来より、パーソナルコンピュータ（以下、ＰＣと称する）に用いられるデータ記憶装置のうち、ＯＳや各種プログラムをインストールするデータ記憶装置にはアクセス速度や記録容量の面から専らハードディスク装置（以下ＨＤＤと称する）が採用されている。
【０００３】
上記ＨＤＤで使用される磁気ディスクは、同心円状に形成された複数のトラックを有しており、各トラックは複数のセクタに区分されている。上記各セクタには、セクタのアドレス情報に従って所望のセクタにアクセスすることによって、セクタへのデータ書き込みあるいはセクタからのデータ読み出しを行うことができる。データ読み出し処理において、ヘッドが磁気ディスクから読み出した信号は、信号処理回路によって波形整形や復号処理などの所定の信号処理が施され、ホストに送信される。ホストからの転送データは、信号処理回路によって同様に所定処理された後に、磁気ディスクに書き込まれる。
【０００４】
コンピュータなどのホストとＨＤＤとの間のデータ伝送のためのインターフェースは、ＳＣＳＩ（Small Computer System Interface）インターフェースやＡＴＡ(AT Attachment) インターフェースなどのプロトコルが一般に使用されている。
【０００５】
特に、ＡＴＡインターフェースは、インターフェース機能の向上と低コストの点から、多くのコンピュータに利用され、また、光ディスク記憶装置などの他のタイプに記憶装置のインターフェースとしても広く利用されている。記録媒体の記録密度の向上及びパフォーマンス向上への要求から、ＡＴＡインターフェースのデータ伝送速度に対する要求は、益々厳しいものになっている。このため、従来のパラレル伝送による伝送方式に代えて、シリアル伝送によるＡＴＡインターフェース（シリアルＡＴＡ）が提案されている。
【０００６】
シリアルＡＴＡの規格は、既に策定が進められており、従来のパラレルＡＴＡにはない、いくつかの技術が採用されている。パラレルからシリアルへの伝送方式の変更に伴い、ＨＤＤとＰＣなどのホストとを接続するコネクタの構造においても、大きな変更が加えられている。
【０００７】
コネクタの設計においては、電気的な設計の他、構造的な設計が重要である。ＨＤＤ側のコネクタはＨＤＤの回路基板上に実装され、典型的にはその回路基板はＨＤＤのエンクロージャを構成するベースの外側表面に固定される。ユーザが、ＨＤＤ側のコネクタとホスト側のコネクタとを接続する際は、人手による接続操作で相互の嵌合を確実にするために押し込み作業が行われるのでＨＤＤ側のコネクタに大きな力が加わると、接続時に破損する可能性が高まる。
【０００８】
このようなことから、上記ＨＤＤの回路基板との接続機能を改良したコネクタが開発されている（特許文献１参照）。
【０００９】
【特許文献１】特開２００６−７３４８１号公報
【考案の開示】
【考案が解決しようとする課題】
【００１０】
ところで、上記の特許文献１は、ＨＤＤの回路基板上に実装されるコネクタは、より固定を確実にするために上記コネクタの両側壁部に２つのスティフナを備えており、樹脂で形成された絶縁ハウジングを備えている。
【００１１】
そして、上記ハウジングは、回路基板上に立設される回路基板の辺に沿う方向に延在するベース部と、このベース部から前方に突出するプレート状の２つの突出部を備えている。上記ハウジングは、更にその両側にプレートを備えている。
【００１２】
上記コネクタは、ハウジング内に配置された複数の接続端子を備え、これらの接続端子は、回路基板の辺に沿った方向に配列されており、上記端子の夫々は、ホスト側の対応コネクタの接続端子と接触するコンタクト部と、回路基板と接続される接続部とを備え、コンタクト部は突出部に固定されている。
【００１３】
２つの突出部は分離して形成されており、一方の突出部は電源系のコンタクト部を保持し、もう一方の突出部は信号系のコンタクト部を保持している。複数の接続端子は、それぞれ、突出部からベース部の貫通孔を通って回路基板側へ延び、接続部が回路基板上の接続端子と半田によって接続されている。
【００１４】
ホスト側の対応コネクタには、嵌合凹部と夫々接続する凸部と、突出部と夫々嵌合する凹部（穴）が形成されており、接続端子のコンタクト部は、ホスト側の対応コネクタの凹部に形成された対応接続端子に接続される。
【００１５】
パラレルＡＴＡのコネクタは、その接続端子がホスト側コネクタと接続され、ハウジングどうしは、接続していなかった。一方、シリアルＡＴＡのコネクタ構造においては、上記のようにハウジングどうしが嵌合する。このため、ユーザによってホスト側のコネクタと接続される際、ＨＤＤ側のコネクタにパラレルＡＴＡコネクタよりも大きな力が加えられ易いため、パラレルＡＴＡコネクタよりも、コネクタと回路基板との接続が破損しやすい構造となっている。
【００１６】
金属でＴ字状に形成されたスティフナは、回路基板の穴に嵌合し、半田によって回路基板に固定されており、ヘッド部は、それぞれ側壁部の上面と当接し、ハウジングを回路基板に対し固定している。
【００１７】
上記スティフナは、コネクタを回路基板に固定する機能に加えて、コネクタの動きを規制し、コネクタの破損を防止するストッパとしての機能を備えることによって、接続端子と回路基板との接続時の破損を防止することができるようになっている。
【００１８】
ところが、上記のような従来のハードディスクなどの記憶装置のコネクタ接続部では、ストッパ機能を備えたスティフナによってコネクタの動きを規制することで、破損を防止することができるものの、記憶装置が専用に構成されるためコスト高になるだけでなく、記憶装置にコネクタを人手による直接接続で接続されるため各種記憶装置を実装する度にコネクタの着脱作業が行われることから、嵌合を確実にするためのコネクタの押込み作業が必要となるため、その都度、作業負荷が掛かかる問題を有していた。
【００１９】
本考案は、このような問題点に着目してなされたもので、ホストコンピュータに複数の記憶装置を装填する度に、ホスト側との接続を容易に且つ確実に行うことができる記憶装置のコネクタ接続ケースを提供することを目的とする。
【課題を解決するための手段】
【００２０】
上記目的を解決するために、本考案の請求項１に記載の記憶装置のコネクタ接続ケースは、インターフェースをもつ記憶装置をホストコンピュータ側のコネクタと接続する記憶装置のコネクタ接続ケースに於いて、上記コネクタ接続ケース１は、後端側に上記記憶装置２を収容部５内の支持面６上に挿入する開口部４を有すると共に該開口部４に連なる上記支持面６の両側に記憶装置２の幅方向を規制する側壁８ａ，８ｂを形成したケース体Ｈと、該ケース体Ｈの前方に設けた第１絶縁ブロック１０に立設支持されて上記ホスト側電源コネクタ１４を接続保持する電源用コネクタボード１６と、上記電源コネクタ１４の各端子と電気的に導通するように一端が上記電源用コネクタボード１６に接続され上記第１絶縁ブロック１０に挿通支持された他端側の接触部が上記記憶装置２の電源用端子と対向するように上記収容部５内に向けて突出した複数の電源用コンタクトピン２０と、上記ケース体Ｈ前方に設けた第２絶縁ブロック１２に立設支持されて上記ホスト側通信線コネクタ１５を接続保持する通信用コネクタボード１８と、上記通信線コネクタ１５の各端子と電気的に導通するように一端が上記通信用コネクタボード１８に接続保持され上記第２絶縁ブロック１２に挿通支持された他端側の接触部が上記記憶装置２の通信線用端子と対向するように上記収容部５内に向けて突出した複数の通信線用コンタクトピン２２と、上記ケース体Ｈの開口部４後端面に揺動可能に支持されて上記収容部５内に挿入された上記記憶装置２の後方への移動を規制する揺動レバー２４とを備えて成り、上記ケース体Ｈの収容部５内に記憶装置２が装填された際、上記記憶装置２の電源用端子並びに通信線用端子のそれぞれが、上記電源用コンタクトピン２０並びに通信線用コンタクトピン２２の他端側接触部Ｃ１，Ｃ２に接触し、上記ホスト側の電源コネクタ１４と通信線用コネクタ１５にそれぞれ接続されることを特徴とする記憶装置のコネクタ接続ケースである。
上記の記憶装置のコネクタ接続ケースによれば、上記開口部４から上記ケース体Ｈの収容部５内に記憶装置２が挿入されると、幅方向両側が規制された状態で支持面６上に支持された記憶装置２は、揺動レバー２４の起立により後方への移動が規制される。これにより、上記ケース体Ｈの収容部５内に装填された記憶装置２の電源用端子並びに通信線用端子のそれぞれは、上記電源用コンタクトピン２０並びに通信線用コンタクトピン２２の他端側接触部Ｃ１，Ｃ２に接触し、上記ホスト側の電源コネクタ１４と通信線用コネクタ１５にそれぞれ接続される。
【００２１】
本考案の請求項２に記載の記憶装置のコネクタ接続ケースは、上記電源用コンタクトピン２０と通信線用コンタクトピン２２の他端側接触部Ｃ１，Ｃ２のそれぞれが、拡径フランジで形成されていることを特徴とする記憶装置のコネクタ接続ケースである。
上記の記憶装置のコネクタ接続ケースによれば、上記ケース体Ｈの収容部５内に装填された記憶装置２の電源用端子並びに通信線用端子のそれぞれは、上記収容部５内で幅方向並びに上下方向が拘束される記憶装置２が、上記ケース体Ｈの加工誤差の範囲内でバラツキが生じても上記電源用コンタクトピン２０と通信線用コンタクトピン２２の他端側接触部に接続される。
【００２２】
本考案の請求項３に記載の記憶装置のコネクタ接続ケースは、上記電源用コンタクトピン２０の他端側接触部Ｃ１において、グランド線側に接続するコンタクトピン２０ａの接触部Ｃａは、上記電源供給線用コンタクトピン２０ｂの接触部Ｃｂ、並びに上記通信線用コンタクトピン２２の接触部Ｃ２より上記記憶装置２の電源用端子側に僅かに突出していることを特徴とする記憶装置のコネクタ接続ケースである。
上記の記憶装置のコネクタ接続ケースによれば、グランド線側に接続するコンタクトピン２０ａの接触部Ｃａは、電源供給線用コンタクトピン２０の接触部Ｃｂ、並びに上記通信線用コンタクトピン２２の接触部Ｃ２より僅かな量Ｄだけ突出しているグランド線側に接続するコンタクトピンの接触部Ｃａが、記憶装置２の電源用端子に最初に接触する。
【考案の効果】
【００２３】
本考案は以下の効果を奏する。
【００２４】
請求項１に記載の考案によれば、ホストコンピュータに複数の記憶装置を装填する度に、ホスト側との接続を容易に且つ確実に行うことができる。
【００２５】
請求項２に記載の考案によれば、ケース体の収容部内に装填された記憶装置は、当該記憶装置がケース体の加工誤差等の範囲内でピンポイント以外のバラツキが生じても、その電源用端子並びに通信線用端子のそれぞれは、上記電源用コンタクトピンと通信線用コンタクトピンの接触部に確実に接続することができる。
【００２６】
請求項３に記載の考案によれば、グランド線側に接続するコンタクトピンの接触部Ｃａが記憶装置２の電源用端子最初に接触するので、上記記憶装置２への電気的ダメージを最小限に抑えることができる。
【考案を実施するための最良の形態】
【００２７】
本考案の実施例を以下に説明する。
【実施例１】
【００２８】
図１〜図７には、本考案の実施例が示されている。図１（ａ）は本考案に係るコネクタ接続ケースの一部断面を示す平面図、（ｂ）は（ａ）のＡ矢視図、図２は第１絶縁ブロックの内部構造を示す拡大平面断面図、図３はコネクタ接続ケースの上カバーを外した状態の斜視図、図４はコネクタ接続ケースの全体斜視図、図５通信線用コンタクトピンを示す部分拡大斜視図、図６電源用コンタクトピンを示す部分拡大斜視図、図７は記憶装置が装填されたコネクタ接続ケースの全体斜視図である。
【００２９】
図１〜図７において、コネクタ接続ケース１は、Ｐ−ＡＴＡ（パラレルＡＴＡ）インターフェース、Ｓ−ＡＴＡ（シリアルＡＴＡ）インターフェースをもつハードディスク（以下、ＨＤＤと称する）等のデータ記憶装置（以下、記憶装置２と称する）の検査、試験、書込み、データのコピー等を行うために使用されるものである。
【００３０】
上記記憶装置２は、パーソナルコンピュータ（以下、ＰＣと称する）に用いられる記憶装置のうち、ＯＳや各種プログラムをインストールする記憶装置にはアクセス速度や記憶容量の面から上記ハードディスク以外にもＣＤ、ＤＶＤ、ＢＬ（ブルーレイ）、ＨＤ−ＤＶＤ等が採用されている。
【００３１】
上記コネクタ接続ケース１は、例えば合成樹脂などで高さの低い略直方体に形成されたケース体Ｈの内部に上記記憶装置２を収容する収容部５が設けられ、収容部５には、後端側の開口部４から上記収容部５内に装填される上記記憶装置２を支持する支持面６と、この支持面６の両側には上記記憶装置２の厚みより若干高い一対の側壁８ａ，８ｂが形成されており、これによって上記記憶装置２の幅方向を規制している。
【００３２】
そして、上記両側壁８ａ，８ｂの前方上面には、収容部５内に装填された記憶装置２の上方への動きを規制する板状の上カバー２６が取着されている。
【００３３】
図１、図２に示すように上記ケース体Ｈの前方には、例えば、絶縁性の合成樹脂で直方体に成形された第１絶縁ブロック１０が支持面６上に取着されると共にこの第１絶縁ブロック１０に隣接して第２絶縁ブロック１２が上記支持面６上に取着されている。
【００３４】
図１、図２において、上記第１絶縁ブロック１０には、後述するホスト側ＰＣの電源ケーブルＥＣ端部の電源コネクタ１４を接続保持する電源用コネクタボード１６が立設支持されると共に、上記第２絶縁ブロック１２にはホスト側ＰＣの通信ケーブルＣＣ端部の通信線コネクタ１５を接続保持する通信用コネクタボード１８が立設支持されている。
【００３５】
上記電源用コネクタボード１６には、上記電源コネクタ１４の各端子と電気的に導通するように複数の電源用コンタクトピン２０の一端が接続されると共に、これら電源用コンタクトピン２０は、他端に形成された接触部Ｃ１が装填された記憶装置２の図示しない電源用端子と対向するように上記収容部５側に向けて突出するように上記第１絶縁ブロック１０に水平に挿通支持されている。
【００３６】
また、上記通信用コネクタボード１８には、上記通信線コネクタ１５の各端子と電気的に導通するように複数の通信線用コンタクトピン２２の一端が接続されると共に、これら通信線用コンタクトピン２２は、他端に形成された接触部Ｃ２が装填された記憶装置２の図示しない通信用端子と対向するように上記収容部５側に向けて突出するように上記第２絶縁ブロック１２に水平に挿通支持されている。
【００３７】
そして、電源用コンタクトピン２０ならびに通信線用コンタクトピン２２他端の接触部Ｃ１，Ｃ２は、拡径したフランジで形成されており、対向する記憶装置２の複数の端子に対向している。特に、４本の電源用コンタクトピン２０の他端側接触部Ｃ１は、中央２本のグランド線に接続するコンタクトピン２０ａの接触部Ｃａと両外側２本の電源供給線に接続するコンタクトピン２０ｂの接触部Ｃｂとから構成されている。
【００３８】
図２において、上記４本のコンタクトピン２０ａ，２０ｂの夫々には、他端側近傍の外周にストップリングＲが突設されており、上記第１絶縁ブロック１０の後端側には角型の凹溝Ｇが形成されるともに、該凹溝Ｇには４つの深さの異なる段付き小孔１０ａ，１０ｂが形成されている。
【００３９】
そこで、上記４つの段付き小孔１０ａ，１０ｂに４本のコンタクトピン２０ａ，２０ｂを挿入し、後方の凹溝Ｇから上記段付き小孔１０ａ，１０ｂ内に圧縮バネＳＰを挿入した状態で上記凹溝Ｇ内に上記各コンタクトピン２０ａ，２０ｂの後端を挿通させてインナーブロック２８を挿嵌することにより、上記圧縮バネＳＰによりストップリングＲを介して押圧付勢されるコンタクトピン２０ａ，２０ｂの接触部Ｃａ，Ｃｂが、上記収容部５側に向けて突出される。この場合、中央２本のコンタクトピン２０の接触部Ｃａは、両外側のコンタクトピン２０の接触部Ｃｂより上記収容部５側に向けて僅かな量Ｄだけ突出している。
【００４０】
また、上記ケース体Ｈの開口部４端面には、揺動レバー２４が上記支持面６の後端面中央に止着された支持軸２５に揺動可能に軸支されており、上記収容部５内に装填された記憶装置２は、起立した揺動レバー２４によって後方への動きが規制されるようになっている。
【００４１】
次に、上記のように構成されたコネクタ接続ケース１は、電源用コネクタボード１６及び通信用コネクタボード１８に、予めホスト側ＰＣの電源ケーブルＥＣ端部の電源コネクタ１４及びホスト側ＰＣの通信ケーブルＣＣ端部の通信線コネクタ１５が夫々接続保持される。
【００４２】
そこで、検査、試験、書込み、並びにデータのコピー等を行うＨＤＤ等の記憶装置２がケース体Ｈの開口部４から収容部５内に装填されると、揺動レバー２４の起立によって上記記憶装置２の後方への動きが規制される。
【００４３】
記憶装置２が収容部５内に装填された際は、幅方向ないし上下方向の動きが規制されており、上記記憶装置２前端に設けられた複数の端子は、複数の電源用コンタクトピン２０の接触部Ｃ１、及び複数の通信線用コンタクトピン２２の接触部Ｃ２にそれぞれ接触する。
【００４４】
この場合、電源供給線用コンタクトピン２０ｂの接触部Ｃｂ、並びに上記通信線用コンタクトピン２２の接触部Ｃ２より僅かな量Ｄだけ記憶装置２側に突出しているグランド線側に接続するコンタクトピン２０ａの接触部Ｃａは、上記記憶装置２の電源用端子側に最初に接触するが、両外側の２本のコンタクトピン２０ｂの接触部Ｃｂに上記記憶装置２の電源側用端子が接触するまで上記圧縮バネＲＰの付勢力に抗して上記記憶装置２を押圧する。
【００４５】
また、上記記憶装置２を取出す際は、グランド線側コンタクトピン２０ａの接触部Ｃａが他の電源供給線用コンタクトピン２０の接触部Ｃｂ、ないし複数の通信線用コンタクトピン２２より若干遅れて時間差をもって最後に記憶装置２の電源用端子から離反する。
【００４６】
この状態で、コネクタ接続ケース１の収容部５に装填された記憶装置２は、ホスト側ＰＣとの間で検査、試験、書込み、データのコピー等が行われる。なお、上記のように検査、試験、書込み、データのコピー等が行われている間でも、上記記憶装置２は収容部５に対し装填、取出しを行うことができる。
【００４７】
このように、ケース体Ｈの収容部５内に装填された記憶装置２は、起立した揺動レバー２４によって後方への動きが規制されると共に、幅方向ないし上下方向が規制された状態で記憶装置２の複数の端子が電源用コンタクトピン２０ならびに通信線用コンタクトピン２２他端の接触部Ｃ１，Ｃ２に確実に接触するので、ホスト側ＰＣに複数の記憶装置２を実装する度に、ホスト側ＰＣとのコネクタ接続を容易に且つ確実に行うことができる。
【００４８】
また、上記電源用コンタクトピン２０ないし通信線用コンタクトピン２２の接触部Ｃ１，Ｃ２が拡径したフランジで形成されているので、ケース体Ｈの収容部５内に装填された記憶装置２がケース体Ｈの加工誤差等の範囲内でピンポイント以外のバラツキが生じても、記憶装置２の電源用端子並びに通信線用端子のそれぞれは、上記電源用コンタクトピン２０ないし通信線用コンタクトピン２２の接触部Ｃ１，Ｃ２に確実に接続することができる。
【００４９】
さらに、グランド線側に接続するコンタクトピン２０ａの接触部Ｃａは、他の電源供給線用コンタクトピン２０ｂの接触部Ｃｂより記憶装置２の電源用端子側に僅かな量Ｄだけ突出しているので上記記憶装置２の電源用端子に最初に接触し、また、上記記憶装置２を取出す際は、グランド線側コンタクトピン２０ａの接触部Ｃａが他の電源供給線用コンタクトピン２０の接触部Ｃｂ、ないし複数の通信線用コンタクトピン２２より若干遅れて時間差をもって最後に記憶装置２の電源用端子から離反するため、帯電した静電気をグランド側に放出することができ、上記記憶装置２への電気的ダメージを最小限に抑えることができる。
【図面の簡単な説明】
【００５０】
【図１】本考案に係るコネクタ接続ケースであって、（ａ）は本考案に係るコネクタ接続ケースの一部断面を示す平面図、（ｂ）は（ａ）のＡ矢視図である。
【図２】第１絶縁ブロックの内部構造を示す拡大平面断面図である。
【図３】コネクタ接続ケースの上カバーを外した状態の斜視図である。
【図４】コネクタ接続ケースの全体斜視図である。
【図５】通信線用コンタクトピンを示す部分拡大斜視図である。
【図６】電源用コンタクトピンを示す部分拡大斜視図である。
【図７】記憶装置が装填されたコネクタ接続ケースの全体斜視図である。
【符号の説明】
【００５１】
１                コネクタ接続ケース
２                記憶装置
４                開口部
５                収容部
６                支持面
８ａ，８ｂ        側壁
１０                第１絶縁ブロック
１２                第２絶縁ブロック
１４                ホスト側電源コネクタ
１５                ホスト側通信線コネクタ
１６                電源用コネクタボード
１８                通信用コネクタボード
２０                電源用コンタクトピン
２０ａ，２０ｂ      コンタクトピン
２２                通信線用コンタクトピン
２４                揺動レバー
２５                支持軸
２６                上カバー
２８                凹溝
Ｃ１，Ｃ２          接触部
Ｃａ，Ｃｂ          接触部
ＣＣ                通信ケーブル
ＥＣ                電源ケーブル
Ｇ                  凹溝
Ｈ                  ケース体
Ｒ                  ストップリング
ＳＰ                圧縮バネ
【図１】
0003132136.tif 000003
【図２】
0003132136.tif 000004
【図３】
0003132136.tif 000005
【図４】
0003132136.tif 000006
【図５】
0003132136.tif 000007
【図６】
0003132136.tif 000008
【図７】
0003132136.tif 000009